(57)【要約】【課題】現実の発症リスクの分析を行うとともに、生活習慣改善後の発症リスクのシミュレーションを効果的に行う。【解決手段】検査・問診データ１２１に基づいて、将来における所定疾患の現実の発症確率を予測する発症確率予測部１３０を備え、予測された現実の発症確率に基づく、所定疾患の現実の発症リスクの程度を示す表示を含むリスク表示部を表示装置１０３に表示させる。リスク表示部が表示されているときに、所定疾患と関連する一以上の危険因子項目の変更入力を受け付け、発症確率予測部１３０が変更された後のデータに基づいて、所定疾患の仮想の発症確率を予測する。予測された仮想の発症確率に基づく、将来における前記所定疾患の仮想の発症リスクの程度を示す表示を含むシミュレーション表示部を表示装置１０３に表示させる。【選択図】図１
2011070405.tif 000002
【特許請求の範囲】
【請求項１】
被験者の健康状態に関する複数項目のデータの入力を受け付ける入力手段と、
前記入力手段が入力を受け付けた入力データに基づいて、将来における所定疾患の現実の発症確率を予測する予測手段と、
前記予測された現実の発症確率に基づく、前記所定疾患の現実の発症リスクの程度を示す表示を含む第１の画面を表示装置に表示させる第１の表示手段と、
前記第１の画面が表示されているときに、前記複数項目のうち、前記所定疾患と関連する一以上の危険因子項目の前記入力データの変更入力を受け付ける変更手段と、
前記変更手段によって変更された後のデータに基づいて、前記所定疾患の仮想の発症確率を予測するシミュレーション手段と、
前記予測された仮想の発症確率に基づく、将来における前記所定疾患の仮想の発症リスクの程度を示す表示を含む第２の画面を、前記表示装置に表示させる第２の表示手段と、を備える疾患の発症リスク分析装置。
【請求項２】
前記危険因子項目を表示し、前記危険因子項目が複数あるときは、各危険因子項目の前記所定の疾患への影響度の大きさを識別可能に表示する第３の画面を表示させる第３の表示手段をさらに備え、
前記変更手段は、前記第３の画面において変更入力を受け付ける、請求項１記載の疾患の発症リスク分析装置。
【請求項３】
前記第３の画面には、前記入力手段が入力を受け付けた前記複数項目の入力データが表示され、ユーザから所定の操作を受け付けると、前記危険因子項目が前記危険因子項目以外の項目と識別可能に表示される、請求項２記載の疾患の発症リスク分析装置。
【請求項４】
前記現実の発症リスクの程度を示す表示及び前記仮想の発症リスクの程度を示す表示は、前記被験者の性別及び年代別の発症リスク平均に対するリスクの高さを示す表示である、請求項１〜３のいずれかに記載の疾患の発症リスク分析装置。
【請求項５】
前記現実の発症リスクの程度を示す表示及び前記仮想の発症リスクの程度を示す表示は、前記現実の発症確率及び前記仮想の発症確率が何歳代に相当するかを示す表示である、請求項１〜３のいずれかに記載の疾患の発症リスク分析装置。
【請求項６】
前記変更手段は、前記第３の画面に表示されたスライドバーにより、前記一以上の危険因子項目の前記入力データの変更入力を受け付ける、請求項２または３に記載の疾患の発症リスク分析装置。
【請求項７】
コメントの入力を受け付けるコメント入力手段と、
少なくとも、前記現実の発症リスクの程度を示す表示と、前記仮想の発症リスクの程度を示す表示と、前記コメント入力手段が受け付けたコメントとを含むレポートを印刷する印刷手段と、をさらに備える、請求項１〜６のいずれかに記載の疾患の発症リスク分析装置。
【請求項８】
コンピュータを用いて、疾患の発症リスク分析を行う方法であって、
被験者の健康状態に関する複数項目のデータの入力を受け付けるステップと、
前記入力を受け付けた入力データに基づいて、将来における所定疾患の現実の発症確率を予測するステップと、
前記予測された現実の発症確率に基づく、前記所定疾患の現実の発症リスクの程度を示す表示を含む第１の画面を表示装置に表示させるステップと、
前記第１の画面が表示されているときに、前記複数項目のうち、前記所定疾患と関連する一以上の危険因子項目の前記入力データの変更入力を受け付けるステップと、
前記変更された後のデータに基づいて、前記所定疾患の仮想の発症確率をシミュレートするステップと、
前記シミュレートされた仮想の発症確率に基づく、将来における前記所定疾患の仮想の発症リスクの程度を示す表示と、前記現実の発症リスクの程度を示す表示とを含む第２の画面を、前記表示装置に表示させるステップと、を行う方法。
【請求項９】
疾患の発症リスク分析を行うためのコンピュータプログラムであって、
コンピュータに、
被験者の健康状態に関する複数項目のデータの入力を受け付けるステップと、
前記入力を受け付けた入力データに基づいて、将来における所定疾患の現実の発症確率を予測するステップと、
前記予測された現実の発症確率に基づく、前記所定疾患の現実の発症リスクの程度を示す表示を含む第１の画面を表示装置に表示させるステップと、
前記第１の画面が表示されているときに、前記複数項目のうち、前記所定疾患と関連する一以上の危険因子項目の前記入力データの変更入力を受け付けるステップと、
前記変更された後のデータに基づいて、前記所定疾患の仮想の発症確率をシミュレートするステップと、
前記シミュレートされた仮想の発症確率に基づく、将来における前記所定疾患の仮想の発症リスクの程度を示す表示と、前記現実の発症リスクの程度を示す表示とを含む第２の画面を、前記表示装置に表示させるステップと、を実行させるコンピュータプログラム。
【発明の詳細な説明】
【技術分野】
【０００１】
本発明は、発症リスク分析装置及び発症リスク分析方法、並びにコンピュータプログラムに関する。
【背景技術】
【０００２】
糖尿病、虚血性心疾患、高血圧、高脂血症等の生活習慣病の発症初期には、患者は自覚症状に乏しい。従って、それら疾患の早期発見、早期治療は困難であることが一般的である。
【０００３】
また、生活習慣病が早期に発見されたとしても、それに対する基本的治療法である食事、運動療法、服薬が遵守されにくいことが多い。さらに、患者の自己判断による治療の中断も少なくない。
【０００４】
このようなことから、生活習慣病に関する患者への徹底した指導の必要性が唱えられている。また、発症予防に向け、生活習慣の改善を目的とする効果的な教育も求められている。
【０００５】
このような背景の下に、例えば、生活習慣病の治療及び予防を支援する疾患治療指導システム（発症リスク分析装置）が種々提案されている（例えば、特許文献１参照）。
【先行技術文献】
【特許文献】
【０００６】
【特許文献１】特開２００２−２４４０１号公報
【発明の概要】
【発明が解決しようとする課題】
【０００７】
ところで、発症リスク分析装置を使用するに際して、医師は、患者に各種の問診（年齢、飲酒・喫煙の習慣の有無、運動の習慣の有無等）を行い、さらに各種の検査（身長・体重、心電図、コレステロール値等）を行う。
【０００８】
このとき、所定の疾患の現実の発症リスクを分析する機能だけでなく、特定の検査項目の値が改善したときの発症リスクをシミュレーションする機能を備えた発症リスク分析装置で生活習慣の改善指導を行うと効果的である。つまり、発症リスク分析装置でシミュレーションをしながらカウンセリングをすることで、患者に対して、生活習慣を改善させるための明確な目標や動機付けを行うことが可能となる。
【０００９】
しかしながら、発症に大きな影響を与える危険因子項目は、疾患ごとに異なる。従って、疾患ごとの危険因子項目を熟知していないオペレータが操作を行うと、必ずしも効果的なシミュレーションを行うことができないことがある。
【００１０】
そこで、本発明の目的は、現実の発症リスクの分析を行うとともに、生活習慣改善後の発症リスクのシミュレーションを効果的に行うための技術を提供することである。
【課題を解決するための手段】
【００１１】
本発明の一つの実施態様に従う発症リスク分析装置は、被験者の健康状態に関する複数項目のデータの入力を受け付ける入力手段と、前記入力手段が入力を受け付けた入力データに基づいて、将来における所定疾患の現実の発症確率を予測する予測手段と、前記予測された現実の発症確率に基づく、前記所定疾患の現実の発症リスクの程度を示す表示を含む第１の画面を表示装置に表示させる第１の表示手段と、前記第１の画面が表示されているときに、前記複数項目のうち、前記所定疾患と関連する一以上の危険因子項目の前記入力データの変更入力を受け付ける変更手段と、前記変更手段によって変更された後のデータに基づいて、前記所定疾患の仮想の発症確率を予測するシミュレーション手段と、前記予測された仮想の発症確率に基づく、将来における前記所定疾患の仮想の発症リスクの程度を示す表示を含む第２の画面を、前記表示装置に表示させる第２の表示手段と、を備える。
【００１２】
好適な実施形態では、前記危険因子項目を表示し、前記危険因子項目が複数あるときは、各危険因子項目の前記所定の疾患への影響度の大きさを識別可能に表示する第３の画面を表示させる第３の表示手段をさらに備え、前記変更手段は、前記第３の画面において変更入力を受け付けるようにしてもよい。
【００１３】
好適な実施形態では、前記第３の画面には、前記入力手段が入力を受け付けた前記複数項目の入力データが表示され、ユーザから所定の操作を受け付けると、前記危険因子項目が前記危険因子項目以外の項目と識別可能に表示されるようにしてもよい。
【００１４】
好適な実施形態では、前記現実の発症リスクの程度を示す表示及び前記仮想の発症リスクの程度を示す表示は、前記被験者の性別及び年代別の発症リスク平均に対するリスクの高さを示す表示であってもよい。
【００１５】
好適な実施形態では、前記現実の発症リスクの程度を示す表示及び前記仮想の発症リスクの程度を示す表示は、前記現実の発症確率及び前記仮想の発症確率が何歳代に相当するかを示す表示であってもよい。
【００１６】
好適な実施形態では、前記変更手段は、前記第３の画面に表示されたスライドバーにより、前記一以上の危険因子項目の前記入力データの変更入力を受け付けてもよい。
【００１７】
好適な実施形態では、コメントの入力を受け付けるコメント入力手段と、少なくとも、前記現実の発症リスクの程度を示す表示と、前記仮想の発症リスクの程度を示す表示と、前記コメント入力手段が受け付けたコメントとを含むレポートを印刷する印刷手段と、をさらに備えてもよい。
【図面の簡単な説明】
【００１８】
【図１】本発明の一実施形態に係る発症リスク分析装置のブロック構成図である。
【図２】定義テーブル６０の内容を示す図である。
【図３】平均値テーブル７０の内容を示す図である。
【図４】発症確率テーブル８０の内容を示す図である。
【図５】入力画面２００の一例を示す図である。
【図６】発症確率・シミュレーション画面３００の一例を示す図である。
【図７】危険因子表示部３４０が表示されている発症確率・シミュレーション画面３００の一例を示す図である。
【図８】本発明の一実施形態に係るリスク分析装置によって実行される処理手順を示すフローチャートである。
【発明を実施するための形態】
【００１９】
以下、本発明の実施の形態を図面に基づいて詳細に説明する。
【００２０】
図１は、本発明の一実施形態に係る発症リスク分析装置のブロック構成図である。
【００２１】
本実施形態に係る発症リスク分析装置は、発症リスク分析装置本体１００、入力装置１０２、表示装置１０３及びプリンタ１０４から構成される。
【００２２】
発症リスク分析装置本体１００は、例えば汎用的なコンピュータシステムにより構成され、以下に説明する発症リスク分析装置本体１００内の個々の構成要素または機能は、例えば、コンピュータプログラムを実行することにより実現される。このコンピュータプログラムはコンピュータ読み取り可能な記録媒体に格納することもできる。
【００２３】
発症リスク分析装置本体１００は、入出力制御部１１０、被験者データ記憶部１２０、発症確率予測部１３０、年代換算部１４０、基準リスク換算部１５０、レポート生成部１６０、定義テーブル６０、平均値テーブル７０及び発症確率テーブル８０を備える。
【００２４】
入出力制御部１１０は、入力装置１０２、表示装置１０３及びプリンタ１０４に対する入出力を制御する。
【００２５】
被験者データ記憶部１２０は、被験者データとして、検査・問診データ１２１、発症確率データ１２３、シミュレーション入力データ１２５及びシミュレーション結果データ１２７を格納（記憶）する。
【００２６】
検査・問診データ１２１は、入力画面２００（図５参照）により入力された被験者の検査結果及び問診に関するデータである。
【００２７】
発症確率データ１２３は、発症確率予測部１３０が予測した、被験者の所定の疾患に対する現実の発症確率を示すデータである。
【００２８】
シミュレーション入力データ１２５は、シミュレーションを行うための入力データである。シミュレーション入力データ１２５は、後述するように、発症確率・シミュレーション画面３００（図６参照）で検査・問診データ１２１が変更されたデータである。
【００２９】
シミュレーション結果データ１２７は、シミュレーション入力データ１２５に基づいて発症確率予測部１３０が所定の疾患に対する発症確率のシミュレーションを行った結果を示すデータである。
【００３０】
図２は、定義テーブル６０の内容を示す図である。
【００３１】
図２に示す定義テーブル６０は、データ項目を定義するためのテーブルである。定義テーブル６０は、疾患共通定義６１と疾患別定義６３とを有する。疾患共通定義６１には、問診内容または検査結果のいずれかを示す分類６１１と、データ項目の名称６１２と、データの入力形式６１３と、選択肢／入力方法６１４とをデータ項目として有する。疾患別定義６３には、オペレータの入力項目６３１と、シミュレーション対象項目６３２と、パラメータ６３３と、シミュレーション影響度６３４とをデータ項目として有する。
【００３２】
データの入力形式６１３は、各データ項目が選択肢を提示する選択項目であるか、または、数値等の入力を受け付ける入力項目であるかを示す。選択肢／入力方法６１４は、選択項目に対して選択肢、入力項目に対して入力を受け付けるデータ型を示す。
【００３３】
オペレータの入力項目６３１は、入力画面２００で入力を受け付ける項目に「○」が付けられている。シミュレーション対象項目６３２は、対象となっている疾患のシミュレーションで利用するデータ項目に「○」が付けられている。パラメータ６３４は、発症確率予測部１３０が発症確率を予測するときに使用する項目別のパラメータである。シミュレーション影響度６３４は、発症確率予測部１３０がシミュレーションを行うときに、シミュレーション結果に及ぼす影響度が大きい項目を示す。例えば、図２の例では、影響度の大きい順に「１」〜「３」が登録されている。つまり、シミュレーション影響度６３４が設定されている項目は、各疾患に対して大きな影響を与える危険因子である。
【００３４】
図３は、図１における平均値テーブル７０の構造を示す図である。
【００３５】
図３に示す平均値テーブル７０は、危険因子を含むデータ項目の男女別、年齢別の平均値を記憶する。例えば、同図に示すように、５歳刻みで、各年代の男女の各項目に関するそれぞれの平均値を記憶する。この平均値テーブル７０は、発症確率予測部１３０が予測を行うときに、必須項目のデータが未入力である場合の補完データとして利用される。なお、同図の例では、テーブル内の値の表記は省略している。
【００３６】
発症確率予測部１３０は、後述する入力画面２００で入力を受け付けた検査・問診データ１２１（入力データ）に基づいて、将来における所定疾患の現実の発症確率を予測する。例えば、発症確率予測部１３０は、比例ハザード法を用いて、１０年後の所定の疾患の発症確率を予測する。発症確率予測部１３０が発症確率予測を行う際、定義テーブル６０及び平均値テーブル７０を参照する。例えば、発症確率予測部１３０は、対象疾患ごとに必要なパラメータ６３３を定義テーブル６０から取得して、発症確率を予測する。このとき、発症確率予測部１３０が発症確率を予測するために必須の入力項目が未入力である場合、平均値テーブル７０から未入力項目の値を取得して予測する。ここで算出された現実の発症確率が、発症確率データ１２３として格納される。
【００３７】
また、発症確率予測部１３０は、検査・問診データ１２１のうち、所定疾患と関連する一以上の危険因子項目が変更された後のデータに基づいて、所定疾患の仮想の発症確率を予測するシミュレーションを行う。発症確率予測部１３０は、現実の発症確率を算出したときと同じ計算方法を用いてシミュレーションを行い、その被験者の仮想の発症確率を予測する。例えば、発症確率予測部１３０は、発症確率・シミュレーション画面３００で入力されたシミュレーション入力データ１２５に基づいて、その被験者の仮想の発症確率を予測する。この仮想の発症確率がシミュレーション結果データ１２７として格納される。
【００３８】
図４は、図１における発症確率テーブル８０の構造を示す図である。
【００３９】
図４に示す発症確率テーブル８０は、男女別、年齢別の発症確率の平均値を記憶する。例えば、同図の場合、虚血性心疾患及び糖尿病について、男女別年代別の発症確率の平均値が記憶されている。なお、同図の例では、テーブル内の値の表記は省略している。
【００４０】
年代換算部１４０は、発症確率テーブル８０を参照して、発症確率予測部１３０が算出した発症確率を年代に変換する。たとえば、年代換算部１４０は、発症確率予測部１３０が算出した発症確率が何歳代の発症確率であるかを、発症確率テーブル８０を参照して特定する。
【００４１】
基準リスク換算部１５０は、発症確率テーブル８０を参照して、発症確率予測部１３０が算出した発症確率が同性同年代の平均値の何倍であるかを示す基準リスクに換算する。例えば、基準リスク換算部１５０は、発症確率テーブル８０を参照して、発症確率予測部１３０が算出したある被験者の発症確率と、その被験者と同性同年代の平均値とを比較して、発症確率予測部１３０が算出した発症確率に基づく基準リスクを算出する。
【００４２】
表示装置１０３は、後述する図５から図７に示す表示画面を表示する。医師等のオペレータは、入力装置１０２を用いて表示装置１０３の表示画面において、必要な事項を入力する。プリンタ１０４は、レポート生成部１６０で生成したレポートを印刷出力する。
【００４３】
図５は、表示装置１０３に表示される入力画面２００の一例を示す図である。
【００４４】
入力画面２００は、被験者の健康状態に関する複数項目のデータの入力を受け付ける入力領域を有する。入力画面２００は、定義テーブル６０の入力項目６１２、形式６１３，選択肢６１４と対応する。即ち、入力画面２００は、被験者の健康状態に関する複数項目のデータの入力を受け付ける。ここでは、生活習慣病として、虚血性心疾患と糖尿病を対象としている。入力画面２００に対する入力は、入力装置（例えば、パソコンのマウスやキーボード）１０２によってなされる。
【００４５】
図６は、図１における表示装置１０３に表示される発症確率・シミュレーション画面３００の一例を示す図である。
【００４６】
発症確率・シミュレーション画面３００は、リスク表示部３１０（第１の画面）と、シミュレーション表示部３２０（第２の画面）と、データ項目表示部３３０（第３の画面）とを含む。
【００４７】
リスク表示部３１０は、発症確率予測部１３０により予測された現実の発症確率に基づく、所定疾患の現実の発症リスクの程度を示す表示を含む。
【００４８】
シミュレーション表示部３２０は、発症確率予測部１３０により予測された仮想の発症確率に基づく、将来における所定疾患の仮想の発症リスクの程度を示す表示を含む。
【００４９】
リスク表示部３１０及びシミュレーション表示部３２０における現実の発症リスクの程度を示す表示及び仮想の発症リスクの程度を示す表示は、被験者の性別及び年代別の発症リスク平均に対するリスクの高さを示す表示である。また、現実の発症リスクの程度を示す表示及び仮想の発症リスクの程度を示す表示は、現実の発症確率及び仮想の発症確率が何歳代に相当するかを示す表示である。
【００５０】
つまり、リスク表示部３１０及びシミュレーション表示部３２０には、発症確率予測部１３０が算出した所定疾患の発症確率がそのまま表示されるのではなく、年代換算部１４０が換算した発症確率が対応する年代を示す表示３１１、３２１、基準リスク換算部１５０が換算した同性同年代の発症確率平均に対する基準リスクの表示３１２、３２２、リスクの高さを示すリスクメータ３１３、３２３及び顔表示３１４、３２４が含まれる。
【００５１】
図６の例では、リスク表示部３１０には、実年齢４０歳の被験者に対して、虚血性心疾患に関しては、現在７０歳の平均的な人の発症リスクと同じになり（年代表示３１１）、現在４０歳の平均的な人と比べて発症リスクは３．２倍であることを表示している（基準リスク表示３１２）。また、糖尿病に関しては、現在７０歳の平均的な人の発症リスクと同じになり（年代表示３１１）、現在４０歳の平均的な人と比べて発症リスクは３倍であることを表示している（基準リスク表示３１２）。また、１０年後の発症リスクが高いことを視覚的に被験者に把握させるために、リスクメータ３１３及び曇り顔の表示３１４も含まれている。
【００５２】
また、シミュレーション表示部３２０には、実年齢４０歳の被験者に対して、発症のリスクを抑えることができるように、次に説明するデータ項目表示部３３０または危険因子表示部３４０において、危険因子項目の入力データの変更を行うと、１０年後の糖尿病の発症リスクは、現在４５歳の人の発症リスクと同じになり（年代表示３２１）、現在４０歳の平均的な人と比べて発症リスクは１．２倍であることが表示される（基準リスク表示３２２）。即ち、危険因子項目の値が変更後の値になるように生活習慣を改善することにより発症リスクは３倍から１．２倍に低下することになる。
【００５３】
データ項目表示部３３０は、検査・問診データ１２１を表示する。データ項目表示部３３０は、リスク表示部３１０が表示されているときに、検査・問診データ１２１の項目のうち、所定疾患と関連する一以上の危険因子項目の検査・問診データ１２１の変更入力を受け付ける。例えば、データ項目表示部３３０は、ここに表示されている、虚血性心疾患、または糖尿病の危険因子項目を含む、検査・問診データ１２１の全項目の変更入力を受け付けることができる。
【００５４】
また、データ項目表示部３３０がユーザから所定の操作を受け付けると、検査・問診データ１２１の項目のうち、危険因子項目が危険因子項目以外の項目と識別可能に表示される。例えば、データ項目表示部３３０が表示されていているときに、ユーザがシミュレーション表示部３２０の領域を選択すると、図７に示す危険因子表示部３４０へ遷移する。
【００５５】
図７を参照すると、危険因子表示部３４０（第３の画面）は、危険因子以外の項目がデータ項目表示部３３０から消え、危険因子項目のみが表示される画面である。危険因子表示部３４０において、危険因子項目が複数あるときは、各危険因子項目の所定の疾患への影響度の大きさを識別可能に表示されるようにしてもよい。これは、例えば、定義テーブル６０のシミュレーション影響度６３４に従って表示してもよい。例えば、疾患への影響度の大きさを、重要な順に赤、橙、青などと色分けしてもよい。
【００５６】
データ項目表示部３３０ないしは危険因子表示部３４０で、検査・問診データ１２１の一部が変更入力された後のデータが、シミュレーション入力データ１２５として被験者データ記憶部１２０に記憶される。
【００５７】
データ項目表示部３３０及び危険因子表示部３４０に表示されている数値項目(危険因子項目)は、スライドバーによりデータの変更入力を受け付ける。
【００５８】
上述の実施形態では、発症確率・シミュレーション画面３００が表示されているときに、オペレータが糖尿病のシミュレーション表示部３２０を選択すると、糖尿病の危険因子のみが変更対象として表示される危険因子表示部３４０へ遷移する。糖尿病の危険因子は、図７に示すように、体重と、ＨｂＡ１ｃと、ＬＤＬである。危険因子表示部３４０では、これらの危険因子のみが変更可能である。このように、所定の疾患の危険因子のみを表示することによって、オペレータがその疾患の危険因子について知識がないときであっても、危険因子の数値を調整して、シミュレーション入力データ１２５を生成することができる。このようにして生成されたシミュレーション入力データ１２５でシミュレーションを行うことにより、効率的なシミュレーションが可能となる。
【００５９】
図７の危険因子表示部３４０では、糖尿病の危険因子のうち、体重が最も影響度が大とすると、危険をイメージする赤で表示するようにしてもよい。
【００６０】
発症リスク分析装置は、例えばシミュレーション後に、医師等によるコメントの入力を受け付けることができる。プリンタ１０４は、少なくとも、現実の発症リスクの程度を示す表示と、仮想の発症リスクの程度を示す表示と、入力装置１０２が受け付けたコメントとを含むレポートを印刷する。
【００６１】
図８は、上述した実施形態に係る発症リスク分析装置によって実行される発症リスク分析処理の手順を示すフローチャートである。
【００６２】
まず、入力装置１０２により、入力画面２００において、被験者の検査データが入力される（ステップＳ１００）。次に、発症確率予測部１３０が、入力された検査・問診データ１２１に基づいて、将来（１０年後）における所定疾患の現実の発症確率を予測する（ステップＳ１０２）。
【００６３】
その後、年代換算部１４０で、現実の発症確率の年代換算が行われ（ステップＳ１０３）、かつ、基準リスク換算部１５０で現実の発症確率の基準リスク換算が行われる（ステップＳ１０４）。そして、これらに基づいて、リスク表示部３１０、データ項目表示部３３０を含む発症確率・シミュレーション画面３００が表示される（ステップＳ１０５）。このとき、シミュレーションはいまだ行われていないので、シミュレーション表示部３２０はブランクでもよいし、リスク表示部３１０と同じ内容を表示してもよい。
【００６４】
続いて、入力装置１０２により、データ項目表示部３３０またはデータ項目表示部３３０から遷移した危険因子表示部３４０において危険因子のデータ変更入力が行われる（ステップＳ１０６）。すると、発症確率予測部１３０は、ステップＳ１０６で入力されたシミュレーション入力データ１２５に基づいて、シミュレーションを実行する（ステップＳ１０７）。表示装置１０３は、発症確率・シミュレーション画面３００のシミュレーション表示部３２０にシミュレーション結果を表示する（ステップＳ１０８）。
【００６５】
その後、再シミュレーションを行う場合は（ステップＳ１０９：Ｙｅｓ）、ステップＳ１０６へ戻って処理を行う。一方、再シミュレーションを行わない場合は（ステップＳ１０９：Ｎｏ）、オペレータによる入力装置１０２からのコメント入力を受け付ける（ステップＳ１１０）。そして、レポート生成部１６０で、入力されたコメントを反映したレポートを生成して、プリンタ１０４でレポート印刷する（ステップＳ１１１）。
【００６６】
これにより、危険因子項目のデータを容易に変更入力でき、効率的なシミュレーションを行うことができる。
【００６７】
本実施形態によれば、所定の疾患の現実の発症リスクの分析を行うとともに、生活習慣改善後のその疾患の発症リスクのシミュレーションを効果的に行うことができる。
【００６８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００６９】
例えば、発症リスク分析装置本体の機能をサーバに搭載し、複数のクライアント端末がそのサーバの機能を利用して発症リスク分析を行うことができる。
【符号の説明】
【００７０】
６０     定義テーブル
７０     平均値テーブル
８０     発症確率テーブル
１００  発症リスク分析装置本体
１０２  入力装置
１０３  表示装置
１０４  プリンタ
１１０  入出力制御部
１２０  被験者データ記憶部
１３０  発症確率予測部
１４０  年代換算部
１５０  基準リスク換算部
１６０  レポート生成部
２００  入力画面
３００  発症確率・シミュレーション画面
３１０  リスク表示部
３２０  シミュレーション表示部
３４０  危険因子表示部
【図１】
2011070405.tif 000003
【図２】
2011070405.tif 000004
【図３】
2011070405.tif 000005
【図４】
2011070405.tif 000006
【図８】
2011070405.tif 000007
【図５】
2011070405.tif 000008
【図６】
2011070405.tif 000009
【図７】
2011070405.tif 000010